(57)【特許請求の範囲】
【請求項１】
患者から少なくとも１種類の生体情報を取得する生体情報測定機器と、
患者を特定するための患者ＩＤと上記患者の生体情報とを対応付けて電子カルテ情報として記録する病院情報サーバと、
上記生体情報測定機器と上記病院情報サーバとの間で通信データを中継する中継サーバと、
上記中継サーバに通信可能に接続された病院端末と
を備え、
上記生体情報測定機器は、
生体情報を取得する生体情報取得部と、
取得された上記生体情報を特定するための測定データＩＤを作成する測定データＩＤ作成部と、
上記測定データＩＤを表示する測定データＩＤ表示部と
を有し、
上記病院端末は、上記測定データＩＤ表示部に表示された上記測定データＩＤ、上記患者ＩＤおよび医療従事者を特定するための医療従事者ＩＤを読み取るためのＩＤ読取装置を有し、
上記中継サーバは、上記生体情報測定機器から上記測定データＩＤ作成部によって作成された測定データＩＤおよび上記生体情報を受信するとともに、上記病院端末から上記ＩＤ読取装置によって読み取られた測定データＩＤ、上記患者ＩＤおよび上記医療従事者ＩＤを受信し、上記生体情報測定機器から受信した測定データＩＤと上記病院端末から受信した測定データＩＤとが一致したとき、受信した上記生体情報と受信した上記患者ＩＤとを対応付けて通信データとして、上記病院情報サーバへ送信する制御を行う中継サーバ送信制御部を有することを特徴とする生体情報測定システム。
【請求項２】
請求項１に記載の生体情報測定システムにおいて、
上記測定データＩＤ表示部による上記測定データＩＤの表示は、表示画面に表示されたバーコードであることを特徴とする生体情報測定システム。
【請求項３】
請求項１または２に記載の生体情報測定システムにおいて、
上記中継サーバ送信制御部は、上記生体情報測定機器から受信した測定データＩＤと上記病院端末から受信した測定データＩＤとが一致したとき、上記通信データを上記病院情報サーバへ送信する前に、受信した上記患者ＩＤおよび上記医療従事者ＩＤを上記生体情報測定機器へ送信する制御を行い、
上記生体情報測定機器は、
取得された上記生体情報と受信した上記患者ＩＤおよび上記医療従事者ＩＤとを表示する第１の生体情報表示部と、
上記第１の生体情報表示部に表示された上記生体情報を確定する入力を行うための第１の操作部と、
上記第１の生体情報表示部に表示された上記生体情報が上記第１の操作部に対する入力によって確定されたとき、上記生体情報が確定されたことを表す第１の確定情報を上記中継サーバへ送信する制御を行う第１の確定情報送信制御部と
を有し、
上記中継サーバ送信制御部は、上記第１の確定情報を受信したとき、上記通信データを上記病院情報サーバへ送信する制御を行うことを特徴とする生体情報測定システム。
【請求項４】
請求項３に記載の生体情報測定システムにおいて、
上記生体情報測定機器は、
病院が受付をした患者名と患者ＩＤとを対応付けて記録した患者一覧リストおよび上記病院内の医療従事者名と医療従事者ＩＤとを対応付けて記録した医療従事者一覧リストを記憶する第１のリスト記憶部と、
上記患者名と上記医療従事者名とを表示するための第１の名前表示部と、
受信した上記患者ＩＤに基づいて上記第１のリスト記憶部に記憶された上記患者一覧リストを参照して、上記患者ＩＤに対応する患者名を上記第１の名前表示部に表示させるとともに、受信した上記医療従事者ＩＤに基づいて上記第１のリスト記憶部に記憶された上記医療従事者一覧リストを参照して、上記医療従事者ＩＤに対応する上記医療従事者名を上記第１の名前表示部に表示させる制御を行う第１の名前表示制御部と
を有することを特徴とする生体情報測定システム。
【請求項５】
請求項１から４までのいずれか１つに記載の生体情報測定システムにおいて、
上記病院端末は、
病院が受付をした患者名と患者ＩＤとを対応付けて記録した患者一覧リストおよび上記病院内の医療従事者名と医療従事者ＩＤとを対応付けて記録した医療従事者一覧リストを記憶する第２のリスト記憶部と、
上記患者名と上記医療従事者名とを表示するための第２の名前表示部と、
上記ＩＤ読取装置によって読み取られた上記患者ＩＤに基づいて上記第２のリスト記憶部に記憶された上記患者一覧リストを参照して、上記患者ＩＤに対応する患者名を上記第２の名前表示部に表示させるとともに、上記ＩＤ読取装置によって読み取られた上記医療従事者ＩＤに基づいて上記第２のリスト記憶部に記憶された上記医療従事者一覧リストを参照して、上記医療従事者ＩＤに対応する医療従事者名を上記第２の名前表示部に表示させる制御を行う第２の名前表示制御部と
を有することを特徴とする生体情報測定システム。
【請求項６】
請求項１から５までのいずれか１つに記載の生体情報測定システムにおいて、
上記生体情報測定機器は、作成された測定データＩＤと取得された上記生体情報とを記憶して蓄積する生体情報記憶部を有することを特徴とする生体情報測定システム。
【請求項７】
患者から少なくとも１種類の生体情報を取得する生体情報測定機器であって、
患者を特定するための患者ＩＤと上記患者の生体情報とを対応付けて電子カルテ情報として記録する病院情報サーバと、取得された上記生体情報を特定するための測定データＩＤ、上記患者ＩＤおよび医療従事者を特定するための医療従事者ＩＤを読み取るためのＩＤ読取装置を有する病院端末とに通信可能に接続され、
本体に、
生体情報を取得する生体情報取得部と、
上記測定データＩＤを作成する測定データＩＤ作成部と、
上記測定データＩＤを表示する測定データＩＤ表示部と、
上記病院端末から上記ＩＤ読取装置によって読み取られた上記測定データＩＤ、上記患者ＩＤおよび上記医療従事者ＩＤを受信し、受信した上記測定データＩＤと上記測定データＩＤ作成部によって作成された上記測定データＩＤとが一致したとき、受信した上記患者ＩＤおよび上記医療従事者ＩＤを取得する制御を行うＩＤ受信制御部と、
上記生体情報取得部によって取得された上記生体情報と上記ＩＤ受信制御部によって取得された上記患者ＩＤとを対応付けて通信データとして、上記病院情報サーバへ送信する制御を行う送信制御部と
が搭載されていることを特徴とする生体情報測定機器。
【請求項８】
病院で用いられるコンピュータ装置からなる病院端末であって、
患者から少なくとも１種類の生体情報を取得するとともに、取得された上記生体情報を特定するための測定データＩＤを作成する測定データＩＤ作成部と上記測定データＩＤを表示する測定データＩＤ表示部とを有する生体情報測定機器と、患者を特定するための患者ＩＤと上記患者の生体情報とを対応付けて電子カルテ情報として記録する病院情報サーバとに通信可能に接続され、
上記測定データＩＤ表示部に表示された上記測定データＩＤ、上記患者ＩＤおよび医療従事者を特定するための医療従事者ＩＤを読み取るためのＩＤ読取装置と、
上記生体情報測定機器から上記測定データＩＤ作成部によって作成された測定データＩＤおよび上記生体情報を受信し、この受信した測定データＩＤと上記ＩＤ読取装置によって読み取られた測定データＩＤとが一致したとき、受信した上記生体情報と上記ＩＤ読取装置によって読み取られた上記患者ＩＤとを対応付けて通信データとして、上記病院情報サーバへ送信する制御を行う送信制御部と
を備えることを特徴とする病院端末。
【発明の詳細な説明】
【技術分野】
【０００１】
この発明は生体情報測定システムに関し、より詳しくは、患者から少なくとも１種類以上の生体情報を取得する生体情報測定機器と、患者を特定するための患者ＩＤ（識別番号）と上記患者の生体情報とを対応付けて電子カルテ情報として記録する病院情報サーバとを備えた生体情報測定システムに関する。
【０００２】
また、この発明は、そのような生体情報測定システムに用いられる生体情報測定機器および病院端末に関する。
【背景技術】
【０００３】
近年、医療機関では患者の容態や治療過程を記録するカルテの電子化が進んでいる。電子カルテを導入している医療機関では、例えば回診時に、医療従事者（看護師など）が携帯型のパーソナルコンピュータ（以下「ノートパソコン」という。）をカートに載せて運び、患者の医療情報や生体情報を確認したり入力したりする際には、患者ＩＤを入力して、電子カルテにアクセスしている。
【０００４】
従来、そのようなノートパソコンには、例えば特許文献１（特開２００３−２２４１２号公報）に記載のように、バーコードリーダが接続されている。そして、このバーコードリーダによって患者が携行するバーコード（患者ＩＤを表す）を読み取って患者ＩＤを入力するのが一般的である。
【先行技術文献】
【特許文献】
【０００５】
【特許文献１】特開２００３−２２４１２号公報
【発明の概要】
【発明が解決しようとする課題】
【０００６】
ここで、本出願人は、先に、患者の生体情報を、簡単な入力作業で効率よく確実に記録することが可能な生体情報測定機器を提案した（特願２０１１−２８８７２３号）。この生体情報測定機器には、バーコードリーダが接続されている。そして、このバーコードリーダによって患者ＩＤを表すバーコードを読み取って患者ＩＤを入力した後、電子カルテへその患者の生体情報を送信するようになっている。
【０００７】
しかし、病院内で上記生体情報測定機器をノートパソコンと併用した場合、患者ＩＤを入力するために、上記生体情報測定機器に接続されたバーコードリーダと上記ノートパソコンに接続されたバーコードリーダとの２種類のバーコードリーダが存在することになる。このため、バーコードリーダの運用の仕方が面倒になり、また、バーコードリーダの数が増えるためコスト面でも不利になる。
【０００８】
そこで、この発明の課題は、バーコードリーダのようなＩＤ読取装置を１種類にして、バーコードリーダの運用の仕方を簡単にし、また、コスト面での不利も解消できる生体情報測定システムを提供することにある。
【０００９】
また、この発明は、そのような生体情報測定システムに用いられる生体情報測定機器であって、バーコードリーダのようなＩＤ読取装置を１種類にして、バーコードリーダの運用の仕方を簡単にし、また、コスト面での不利も解消できる生体情報測定機器を提供することにある。
【００１０】
また、この発明は、そのような生体情報測定システムに用いられる病院端末であって、バーコードリーダのようなＩＤ読取装置を１種類にして、バーコードリーダの運用の仕方を簡単にし、また、コスト面での不利も解消できる病院端末を提供することにある。
【課題を解決するための手段】
【００１１】
この発明の生体情報測定システムは、
患者から少なくとも１種類の生体情報を取得する生体情報測定機器と、
患者を特定するための患者ＩＤと上記患者の生体情報とを対応付けて電子カルテ情報として記録する病院情報サーバと、
上記生体情報測定機器と上記病院情報サーバとの間で通信データを中継する中継サーバと、
上記中継サーバに通信可能に接続された病院端末と
を備え、
上記生体情報測定機器は、
生体情報を取得する生体情報取得部と、
取得された上記生体情報を特定するための測定データＩＤを作成する測定データＩＤ作成部と、
上記測定データＩＤを表示する測定データＩＤ表示部と
を有し、
上記病院端末は、上記測定データＩＤ表示部に表示された上記測定データＩＤ、上記患者ＩＤおよび医療従事者を特定するための医療従事者ＩＤを読み取るためのＩＤ読取装置を有し、
上記中継サーバは、上記生体情報測定機器から上記測定データＩＤ作成部によって作成された測定データＩＤおよび上記生体情報を受信するとともに、上記病院端末から上記ＩＤ読取装置によって読み取られた測定データＩＤ、上記患者ＩＤおよび上記医療従事者ＩＤを受信し、上記生体情報測定機器から受信した測定データＩＤと上記病院端末から受信した測定データＩＤとが一致したとき、受信した上記生体情報と受信した上記患者ＩＤとを対応付けて通信データとして、上記病院情報サーバへ送信する制御を行う中継サーバ送信制御部を有することを特徴とする。
【００１２】
本明細書で、「生体情報」とは、血圧、体温、ＳｐＯ２（動脈血酸素飽和度）など、患者の生体に関する情報を広く指す。
【００１３】
また、「病院」とは、医院、保健センタなどの名称を問わず、医療に関する診断や治療を行う医療機関を広く指す。
【００１４】
また、「医療従事者」とは、看護師、医師、ＭＥ（Medical Engineer）などを広く指す。
【００１５】
また、「ＩＤ」とは、人、物（機器）またはデータを識別するための符号を指す。ＩＤは、数字のみに限られるものではなく、アルファベットや記号を含んでいても良い。
【００１６】
この発明の生体情報測定システムでは、まず、上記生体情報測定機器の上記測定データＩＤ作成部が上記測定データＩＤを作成し、この測定データＩＤが上記測定データＩＤ表示部に表示される。医療従事者は、上記病院端末のＩＤ読取装置によって、上記測定データＩＤ表示部に表示された上記測定データＩＤ、上記患者ＩＤおよび上記医療従事者ＩＤを読み取る。読み取られた上記測定データＩＤ、上記患者ＩＤおよび上記医療従事者ＩＤは、上記中継サーバへ送信される。また、上記生体情報測定機器によって取得された生体情報と上記測定データＩＤ作成部によって作成された上記測定データＩＤとが上記中継サーバへ送信される。上記中継サーバ送信制御部は、上記生体情報測定機器から上記測定データＩＤ作成部によって作成された測定データＩＤおよび上記生体情報を受信するとともに、上記病院端末から上記ＩＤ読取装置によって読み取られた測定データＩＤ、上記患者ＩＤおよび上記医療従事者ＩＤを受信する。次に、上記中継サーバ送信制御部は、上記生体情報測定機器から受信した測定データＩＤと上記病院端末から受信した測定データＩＤとが一致したとき、受信した上記生体情報と受信した上記患者ＩＤとを対応付けて通信データとして、上記病院情報サーバへ送信する制御を行う。
【００１７】
このように動作する場合、この生体情報測定システムによれば、上記生体情報測定機器にはＩＤ読取装置を設ける必要がなく、上記病院端末が例えばバーコードリーダのようなＩＤ読取装置を備えれば足りる。したがって、病院内でバーコードリーダのようなＩＤ読取装置を１種類にすることができる。この結果、バーコードリーダの運用の仕方が簡単になり、また、コスト面での不利も解消する。
【００１８】
なお、上記中継サーバ送信制御部は、受信した上記生体情報と受信した上記患者ＩＤと、さらに受信した上記医療従事者ＩＤとを対応付けて通信データとして、上記病院情報サーバへ送信する制御を行ってもよい。
【００１９】
一実施形態の生体情報測定システムでは、上記測定データＩＤ表示部による上記測定データＩＤの表示は、表示画面に表示されたバーコードであることを特徴とする。
【００２０】
この一実施形態の生体情報測定システムでは、上記測定データＩＤの表示は、上記測定データＩＤ表示部の表示画面に表示されたバーコードである。したがって、医療従事者は、例えば上記ＩＤ読取装置としてバーコードリーダを用いて上記測定データＩＤ表示部の表示画面に表示されたバーコードを読み取ることができるので、容易に上記測定データＩＤを上記病院端末に入力できる。なお、上記表示画面に表示されたバーコードは、例えばＣＣＤスキャナタイプのバーコードリーダによって読み取ることができる。
【００２１】
一実施形態の生体情報測定システムでは、
上記中継サーバ送信制御部は、上記生体情報測定機器から受信した測定データＩＤと上記病院端末から受信した測定データＩＤとが一致したとき、上記通信データを上記病院情報サーバへ送信する前に、受信した上記患者ＩＤおよび上記医療従事者ＩＤを上記生体情報測定機器へ送信する制御を行い、
上記生体情報測定機器は、
取得された上記生体情報と受信した上記患者ＩＤおよび上記医療従事者ＩＤとを表示する第１の生体情報表示部と、
上記第１の生体情報表示部に表示された上記生体情報を確定する入力を行うための第１の操作部と、
上記第１の生体情報表示部に表示された上記生体情報が上記第１の操作部に対する入力によって確定されたとき、上記生体情報が確定されたことを表す第１の確定情報を上記中継サーバへ送信する制御を行う第１の確定情報送信制御部と
を有し、
上記中継サーバ送信制御部は、上記第１の確定情報を受信したとき、上記通信データを上記病院情報サーバへ送信する制御を行うことを特徴とする。
【００２２】
この一実施形態の生体情報測定システムでは、上記中継サーバ送信制御部は、上記生体情報測定機器から受信した測定データＩＤと上記病院端末から受信した測定データＩＤとが一致したとき、上記通信データを上記病院情報サーバへ送信する前に、受信した上記患者ＩＤおよび上記医療従事者ＩＤを上記生体情報測定機器へ送信する制御を行う。上記生体情報測定機器の第１の生体情報表示部は、取得された上記生体情報と受信した上記患者ＩＤおよび上記医療従事者ＩＤとを表示する。このため、例えば医療従事者は、上記第１の生体情報表示部に表示された生体情報、上記患者ＩＤおよび上記医療従事者ＩＤを見て、その生体情報が妥当であるか否かを判断することができる。医療従事者はその生体情報が妥当であると判断したとき、上記第１の操作部に対する入力によって生体情報を確定する。上記第１の生体情報表示部に表示された生体情報が上記第１の操作部に対する入力によって確定されたとき、上記第１の確定情報送信制御部は、上記生体情報が確定されたことを表す第１の確定情報を上記中継サーバへ送信する制御を行う。上記中継サーバ送信制御部は、上記第１の確定情報を受信したとき、上記通信データを上記病院情報サーバへ送信する制御を行う。したがって、医療従事者が妥当であると確認した生体情報（測定データ）だけを上記病院情報サーバへ送信することができる。
【００２３】
一実施形態の生体情報測定システムでは、
上記生体情報測定機器は、
病院が受付をした患者名と患者ＩＤとを対応付けて記録した患者一覧リストおよび上記病院内の医療従事者名と医療従事者ＩＤとを対応付けて記録した医療従事者一覧リストを記憶する第１のリスト記憶部と、
上記患者名と上記医療従事者名とを表示するための第１の名前表示部と、
受信した上記患者ＩＤに基づいて上記第１のリスト記憶部に記憶された上記患者一覧リストを参照して、上記患者ＩＤに対応する患者名を上記第１の名前表示部に表示させるとともに、受信した上記医療従事者ＩＤに基づいて上記第１のリスト記憶部に記憶された上記医療従事者一覧リストを参照して、上記医療従事者ＩＤに対応する上記医療従事者名を上記第１の名前表示部に表示させる制御を行う第１の名前表示制御部と
を有することを特徴とする。
【００２４】
この一実施形態の生体情報測定システムでは、上記生体情報測定機器の上記第１の名前表示制御部は、受信した上記患者ＩＤに基づいて上記第１のリスト記憶部に記憶された上記患者一覧リストを参照して、上記患者ＩＤに対応する患者名を上記第１の名前表示部に表示させる制御を行う。また、上記第１の名前表示制御部は、受信した上記医療従事者ＩＤに基づいて上記第１のリスト記憶部に記憶された上記医療従事者一覧リストを参照して、上記医療従事者ＩＤに対応する上記医療従事者名を上記第１の名前表示部に表示させる制御を行う。したがって、例えば医療従事者は、上記患者名と上記医療従事者名とを上記第１の名前表示部で確認してから生体情報（測定データ）が妥当であるか否かを判断することができる。
【００２５】
一実施形態の生体情報測定システムでは、
上記病院端末は、
病院が受付をした患者名と患者ＩＤとを対応付けて記録した患者一覧リストおよび上記病院内の医療従事者名と医療従事者ＩＤとを対応付けて記録した医療従事者一覧リストを記憶する第２のリスト記憶部と、
上記患者名と上記医療従事者名とを表示するための第２の名前表示部と、
上記ＩＤ読取装置によって読み取られた上記患者ＩＤに基づいて上記第２のリスト記憶部に記憶された上記患者一覧リストを参照して、上記患者ＩＤに対応する患者名を上記第２の名前表示部に表示させるとともに、上記ＩＤ読取装置によって読み取られた上記医療従事者ＩＤに基づいて上記第２のリスト記憶部に記憶された上記医療従事者一覧リストを参照して、上記医療従事者ＩＤに対応する医療従事者名を上記第２の名前表示部に表示させる制御を行う第２の名前表示制御部と
を有することを特徴とする。
【００２６】
この一実施形態の生体情報測定システムでは、上記病院端末の上記第２の名前表示制御部は、上記ＩＤ読取装置によって読み取られた上記患者ＩＤに基づいて上記第２のリスト記憶部に記憶された上記患者一覧リストを参照して、上記患者ＩＤに対応する患者名を上記第２の名前表示部に表示させる制御を行う。また、上記第２の名前表示制御部は、上記ＩＤ読取装置によって読み取られた上記医療従事者ＩＤに基づいて上記第２のリスト記憶部に記憶された上記医療従事者一覧リストを参照して、上記医療従事者ＩＤに対応する上記医療従事者名を上記第２の名前表示部に表示させる制御を行う。したがって、例えば医療従事者は、上記患者名と上記医療従事者名とを上記第２の名前表示部で確認してから生体情報（測定データ）が妥当であるか否かを判断することができる。
【００２７】
一実施形態の生体情報測定システムでは、上記生体情報測定機器は、作成された測定データＩＤと取得された上記生体情報とを記憶して蓄積する生体情報記憶部を有することを特徴とする。
【００２８】
この一実施形態の生体情報測定システムでは、上記生体情報測定機器は、作成された測定データＩＤと取得された上記生体情報とを記憶して蓄積する生体情報記憶部を有する。したがって、例えば医療従事者は、上記生体情報測定機器と上記中継サーバとの間の通信エラーを気にすることなく、上記生体情報測定機器によって、生体情報を測定できる。そして、上記通信エラーが解消した後、上記生体情報記憶部に蓄積された生体情報は、既述の動作によって、上記中継サーバを介して上記病院情報サーバへ送られる。
【００２９】
この発明の生体情報測定機器は、
患者から少なくとも１種類の生体情報を取得する生体情報測定機器であって、
患者を特定するための患者ＩＤと上記患者の生体情報とを対応付けて電子カルテ情報として記録する病院情報サーバと、取得された上記生体情報を特定するための測定データＩＤ、上記患者ＩＤおよび医療従事者を特定するための医療従事者ＩＤを読み取るためのＩＤ読取装置を有する病院端末とに通信可能に接続され、
本体に、
生体情報を取得する生体情報取得部と、
上記測定データＩＤを作成する測定データＩＤ作成部と、
上記測定データＩＤを表示する測定データＩＤ表示部と、
上記病院端末から上記ＩＤ読取装置によって読み取られた上記測定データＩＤ、上記患者ＩＤおよび上記医療従事者ＩＤを受信し、受信した上記測定データＩＤと上記測定データＩＤ作成部によって作成された上記測定データＩＤとが一致したとき、受信した上記患者ＩＤおよび上記医療従事者ＩＤを取得する制御を行うＩＤ受信制御部と、
上記生体情報取得部によって取得された上記生体情報と上記ＩＤ受信制御部によって取得された上記患者ＩＤとを対応付けて通信データとして、上記病院情報サーバへ送信する制御を行う送信制御部と
が搭載されていることを特徴とする。
【００３０】
この発明の生体情報測定機器では、まず、上記生体情報測定機器の上記測定データＩＤ作成部が上記測定データＩＤを作成し、この作成された測定データＩＤが上記測定データＩＤ表示部に表示される。例えば医療従事者は、上記病院端末のＩＤ読取装置によって、上記測定データＩＤ表示部に表示された上記測定データＩＤ、上記患者ＩＤおよび上記医療従事者ＩＤを読み取る。読み取られた上記測定データＩＤ、上記患者ＩＤおよび上記医療従事者ＩＤは、上記生体情報測定機器へ送信される。次に、上記ＩＤ受信制御部は、上記病院端末から上記読み取られた上記測定データＩＤ、上記患者ＩＤおよび上記医療従事者ＩＤを受信する。受信した上記読み取られた上記測定データＩＤと上記測定データＩＤ作成部によって作成された上記測定データＩＤとが一致したとき、受信した上記患者ＩＤおよび上記医療従事者ＩＤを取得する制御を行う。上記送信制御部は、上記生体情報取得部によって取得された上記生体情報と上記ＩＤ受信制御部によって取得された上記患者ＩＤとを対応付けて通信データとして、例えば上記病院情報サーバへ送信する制御を行う。
【００３１】
このように動作する場合、この生体情報測定機器にはＩＤ読取装置を設ける必要がなく、上記病院端末が例えばバーコードリーダのようなＩＤ読取装置を備えれば足りる。したがって、病院内でバーコードリーダのようなＩＤ読取装置を１種類にすることができる。この結果、バーコードリーダの運用の仕方が簡単になり、また、コスト面での不利も解消する。
【００３２】
この発明の病院端末は、
病院で用いられるコンピュータ装置からなる病院端末であって、
患者から少なくとも１種類の生体情報を取得するとともに、取得された上記生体情報を特定するための測定データＩＤを作成する測定データＩＤ作成部と上記測定データＩＤを表示する測定データＩＤ表示部とを有する生体情報測定機器と、患者を特定するための患者ＩＤと上記患者の生体情報とを対応付けて電子カルテ情報として記録する病院情報サーバとに通信可能に接続され、
上記測定データＩＤ表示部に表示された上記測定データＩＤ、上記患者ＩＤおよび医療従事者を特定するための医療従事者ＩＤを読み取るためのＩＤ読取装置と、
上記生体情報測定機器から上記測定データＩＤ作成部によって作成された測定データＩＤおよび上記生体情報を受信し、この受信した測定データＩＤと上記ＩＤ読取装置によって読み取られた測定データＩＤとが一致したとき、受信した上記生体情報と上記ＩＤ読取装置によって読み取られた上記患者ＩＤとを対応付けて通信データとして、上記病院情報サーバへ送信する制御を行う送信制御部と
を備えることを特徴とする。
【００３３】
この発明の病院端末では、まず、上記生体情報測定機器の上記測定データＩＤ作成部が上記測定データＩＤを作成し、作成された測定データＩＤが上記測定データＩＤ表示部に表示される。例えば医療従事者は、上記病院端末のＩＤ読取装置によって、上記測定データＩＤ表示部に表示された上記測定データＩＤ、上記患者ＩＤおよび上記医療従事者ＩＤを読み取る。また、上記生体情報測定機器によって取得された生体情報と上記測定データＩＤ作成部によって作成された上記測定データＩＤとが上記病院端末へ送信される。上記送信制御部は、上記生体情報測定機器から上記測定データＩＤ作成部によって作成された測定データＩＤおよび上記生体情報を受信する制御を行う。次に、上記送信制御部は、上記生体情報測定機器から受信した測定データＩＤと上記ＩＤ読取装置によって読み取られた測定データＩＤとが一致したとき、受信した上記生体情報と上記ＩＤ読取装置によって読み取られた上記患者ＩＤとを対応付けて通信データとして、上記病院情報サーバへ送信する制御を行う。
【００３４】
このように動作する場合、この病院端末によれば、上記生体情報測定機器にＩＤ読取装置を設ける必要がなく、上記病院端末が例えばバーコードリーダのようなＩＤ読取装置を備えれば足りる。したがって、病院内でバーコードリーダのようなＩＤ読取装置を１種類にすることができる。この結果、バーコードリーダの運用の仕方が簡単になり、また、コスト面での不利も解消する。
【００３５】
なお、上記送信制御部は、受信した上記生体情報と読み取られた上記患者ＩＤと、さらに読み取られた上記医療従事者ＩＤとを対応付けて通信データとして、上記病院情報サーバへ送信する制御を行ってもよい。
【発明の効果】
【００３６】
以上より明らかなように、この発明の生体情報測定システム、生体情報測定機器および病院端末によれば、バーコードリーダのようなＩＤ読取装置を１種類にして、バーコードリーダの運用の仕方を簡単にし、また、コスト面での不利も解消できる。
【図面の簡単な説明】
【００３７】
【図１】この発明の一実施形態の生体情報測定システムの構成を示す図である。
【図２】上記生体情報測定システムに含まれる生体情報測定機器の構成を示すブロック図である。
【図３】上記生体情報測定システムに含まれる中継サーバの構成を示すブロック図である。
【図４】上記生体情報測定システムに含まれる病院情報サーバの構成を示すブロック図である。
【図５】上記生体情報測定システムに含まれる病院端末の構成を示すブロック図である。
【図６】上記生体情報測定機器の外観を示す斜視図である。
【図７】上記生体情報測定機器の表示部にバーコードが表示された状態を示す図である。
【図８Ａ】生体情報測定後であって上記中継サーバから患者ＩＤおよび看護師ＩＤを受信する前における、上記生体情報測定機器の表示部の表示内容を示す図である。
【図８Ｂ】生体情報測定後であって上記中継サーバから患者ＩＤおよび看護師ＩＤを受信した後における、上記生体情報測定機器の表示部の表示内容を示す図である。
【図９】上記病院端末の表示部に測定データＩＤ、患者名および看護師名が表示された状態を示す図である。
【図１０】上記生体情報測定機器の制御部による生体情報測定処理のフローを示す図である。
【図１１】上記病院端末の制御部によるＩＤ取得処理のフローを示す図である。
【図１２】上記中継サーバの制御部によるＩＤ区分問合せ処理のフローを示す図である。
【図１３】上記中継サーバの制御部による通信データ作成処理のフローを示す図である。
【図１４】上記生体情報測定機器、上記中継サーバ、上記病院情報サーバおよび上記病院端末間のデータの流れを説明する図である。
【図１５】上記通信データ作成処理のフローの変形例を示す図である。
【図１６】上記生体情報測定処理のフローの変形例を示す図である。
【図１７】上記生体情報測定機器、上記中継サーバ、上記病院情報サーバおよび上記病院端末間のデータの流れの変形例を説明する図である。
【図１８】上記通信データ作成処理のフローの変形例を示す図である。
【図１９】上記ＩＤ取得処理のフローの変形例を説明する図である。
【図２０】上記生体情報測定機器、上記中継サーバ、上記病院情報サーバおよび上記病院端末間のデータの流れの変形例を説明する図である。
【図２１】上記生体情報測定機器が上記中継サーバの機能を果たすように構成したときの、上記生体情報測定機器、上記病院情報サーバおよび上記病院端末間のデータの流れを説明する図である。
【図２２】上記病院端末が上記中継サーバの機能を果たすように構成したときの、上記生体情報測定機器、上記病院情報サーバおよび上記病院端末間のデータの流れを説明する図である。
【図２３Ａ】上記生体情報測定機器の表示部に２次元コードが表示された状態を示す図である。
【図２３Ｂ】上記生体情報測定機器の表示部に文字列が表示された状態を示す図である。
【発明を実施するための形態】
【００３８】
以下、この発明の実施の形態を、図面を参照しながら詳細に説明する。
【００３９】
図１は、この発明の一実施形態の生体情報測定システム（全体を符号９０で示す。）のシステム構成を示している。この生体情報測定システム９０は、生体情報測定機器１００と、中継サーバ２００と、病院情報サーバ３００と、病院端末４００とを、ネットワーク９００を介して互いに通信可能に備えている。なお、生体情報測定機器１００と病院端末４００は、それぞれ複数台接続されていても良い。
【００４０】
このネットワーク９００を介した通信は、無線、有線のいずれでも良い。この実施の形態において、ネットワーク９００は、病院内ＬＡＮ（Local Area Network）であるが、これに限定されず、インターネットを介したネットワークのような他の種類のネットワークであってもよいし、ＵＳＢ（Universal Serial Bus）ケーブルなどを用いた１対１の通信であってもよい。
【００４１】
図２に示すように、生体情報測定機器１００は、本体１００Ｍと、この本体１００Ｍに搭載された、制御部１１０と、メモリ１２０と、操作部１３０と、表示部１４０と、測定部１５０と、測定データＩＤ作成部としてのＩＤ作成部１６０と、通信部１９０とを含む。
【００４２】
操作部１３０は、操作ボタン・操作キーなどの操作デバイス（詳しくは後述する。）が操作者によって操作されたことに応じて、操作された内容に応じた操作信号を制御部１１０に入力する。
【００４３】
測定部１５０は、血圧を測定するためのカフ１５１と血圧測定部１５４とを含む血圧計１００Ａ、サーミスタまたは赤外線検知回路を内蔵する検温部を含む体温計１００Ｂ、発光部と受光部とを備えてＳｐＯ２（動脈血酸素飽和度）を測定するためのパルスオキシメータ１００Ｃ、および無線通信により生体情報を取り込むためのＲＦＩＤ（Radio Frequency IDenditification）センサ１５３（図６参照）を含む部分である。血圧計１００Ａや、ＲＦＩＤセンサ１５３を介して体温計１００Ｂ、パルスオキシメータ１００Ｃから取得された生体情報は、制御部１１０に入力される。
【００４４】
メモリ１２０は、生体情報測定機器１００を制御するためのプログラムのデータ、生体情報測定機器１００を制御するために用いられるデータ、生体情報測定機器１００の各種機能を設定するための設定データ、および、測定結果のデータなどを記憶する。また、メモリ１２０は、プログラムが実行されるときのワークメモリなどとして用いられる。
【００４５】
また、メモリ１２０には、この例では第１のリスト記憶部として、病院が受付をした患者名と患者ＩＤとを対応付けて記録した患者一覧リストと、病院内の医療従事者名と医療従事者ＩＤとを対応付けて記録した医療従事者一覧リストとが記憶されている。
【００４６】
患者一覧リストは、例えば次のようなリストである。
（患者一覧リスト）
0005874468.tif 000002
【００４７】
医療従事者一覧リストは、例えば次のようなリストである。
（医療従事者一覧リスト）
0005874468.tif 000003
【００４８】
制御部１１０は、ＣＰＵ（Central Processing Unit）を含み、メモリ１２０に記憶された生体情報測定機器１００を制御するためのプログラムに従って、操作部１３０からの操作信号に応じて、測定部１５０からの検知信号に基づいて、メモリ１２０、表示部１４０、ＩＤ作成部１６０、および、通信部１９０を制御する。
【００４９】
表示部１４０は、ディスプレイおよびインジケータ等を含み、制御部１１０からの制御信号に従って所定の情報を表示する（詳しくは後述する。）。
【００５０】
ＩＤ作成部１６０は、取得された生体情報を特定するための測定データＩＤを作成する。測定データＩＤは、例えば１２桁の文字列「Ｓ１２３４５１１００１Ｅ」と、この文字列を表すバーコード１４１とからなる（図７参照）。ここで、１２桁の文字列は、スタート文字（１桁）と、生体情報測定機器１００の製造番号（例えば「Ａ１２Ｘ１２３４」）や病院での管理番号（例えば「ＢＹＯＵＩＮ−００１」）を３６進数に変換したもの（５桁）と、この測定データＩＤを作成した日（２桁）と、このＩＤ作成日に生体情報測定機器１００で測定した回数に対応する通し番号（３桁）と、ストップ文字（１桁）とからなる。
【００５１】
通信部１９０は、制御部１１０によって制御されて所定の情報を、ネットワーク９００を介して外部の装置に送信したり、外部の装置からの情報を、ネットワーク９００を介して受信して制御部１１０に受け渡したりする。
【００５２】
図３に示すように、中継サーバ２００は、制御部２１０と、メモリ２２０と、操作部２３０と、表示部２４０と、通信部２９０とを含む。この中継サーバ２００は、汎用のコンピュータ装置に、後述の各種処理を行わせるようにプログラム（ソフトウェア）をインストールしたものである。
【００５３】
制御部２１０は、ＣＰＵ（Central Processing Unit）およびその補助回路を含み、サーバ２００の各部を制御し、メモリ２２０に記憶されたプログラムおよびデータに従って所定の処理を実行し、操作部２３０、および、通信部２９０から入力されたデータを処理し、処理したデータを、メモリ２２０に記憶させたり、表示部２４０で表示させたり、通信部２９０から出力させたりする。
【００５４】
メモリ２２０は、制御部２１０でプログラムを実行するために必要な作業領域として用いられるＲＡＭ（Random Access Memory）と、制御部２１０で実行するための基本的なプログラムを記憶するためのＲＯＭ（Read Only Memory）とを含む。また、メモリ２２０の記憶領域を補助するための補助記憶装置の記憶媒体として、磁気ディスク（ＨＤ（Hard Disk）、ＦＤ（Flexible Disk））、光ディスク（ＣＤ（Compact Disc）、ＤＶＤ（Digital Versatile Disk）、ＢＤ（Blu-ray Disc））、光磁気ディスク（ＭＯ（Magneto-Optical disk））、または、半導体メモリ（メモリカード、ＳＳＤ（Solid State Drive））などが用いられてもよい。
【００５５】
操作部２３０は、キーボードおよびマウスで構成され、ユーザによる操作を示す操作信号を制御部２１０に送信する。また、操作部２３０は、キーボードおよびマウスに替えて、または、加えて、タッチパネルなどの他の操作デバイスで構成されるようにしてもよい。
【００５６】
表示部２４０は、ディスプレイ（たとえば、ＬＣＤ（Liquid Crystal Display））を含む。表示部２４０は、制御部２１０によって制御されて、所定の映像をディスプレイに表示させる。
【００５７】
通信部２９０は、制御部２１０からの情報をネットワーク９００を介して他の装置に送信するとともに、他の装置からネットワーク９００を介して送信されてきた情報を受信して制御部２１０に受け渡す。
【００５８】
図４に示すように、病院情報サーバ３００は、制御部３１０と、記憶部３２０と、操作部３３０と、表示部３４０と、通信部３９０とを含む。この病院情報サーバ３００は、汎用のコンピュータ装置に、後述の電子カルテの管理を行わせるように市販の電子カルテのプログラム（例えば、富士通製電子カルテシステム「ＨＯＰＥ／ＥＧＭＡＩＮ−ＥＸ」（登録商標））をインストールしたものである。この病院情報サーバ３００の制御部３１０、記憶部３２０、操作部３３０、表示部３４０、通信部３９０のそれ自体の構成および機能は、基本的に、上述の中継サーバ２００の制御部２１０、メモリ２２０、操作部２３０、表示部２４０、通信部２９０の構成および機能と同様である。ただし、記憶部３２０には、上記電子カルテのプログラムがインストールされ、また、電子カルテ情報を記憶するための電子カルテ情報記憶部３２１が存在する点が異なる。
【００５９】
電子カルテ情報記憶部３２１には、患者名と患者ＩＤとその患者の生体情報とを対応づけて記録した電子カルテが記憶されている。
【００６０】
電子カルテは、例えば次のようなものである。
（電子カルテ）
［患者ＩＤ  １００１    患者名  オムロン  太郎］
0005874468.tif 000004
【００６１】
電子カルテ情報記憶部３２１には、このような電子カルテが患者（患者ＩＤ）毎に記憶されている。
【００６２】
図５に示すように、病院端末４００は、本体４００Ｍと、この本体４００Ｍに搭載された、制御部４１０と、記憶部４２０と、操作部４３０と、病院端末表示部としての表示部４４０と、通信部４９０とを含む。この病院端末４００は、市販のノート型パーソナルコンピュータからなり、中継サーバ２００にアクセスできるようになっている。
【００６３】
この例では、ＩＤ読取装置としてのバーコードリーダ４３１が、本体４００Ｍに対してＵＳＢケーブルを介して着脱可能に接続されている。バーコードリーダ４３１は、患者、医療従事者が携行するＩＤカード（図示せず）やリストバンド（バーコードが表示されている）からそれぞれ患者ＩＤ、医療従事者ＩＤを読み取るために用いられる。また、このバーコードリーダ４３１は、この例ではＣＣＤスキャナタイプのバーコードリーダであり、生体情報測定機器１００の表示部１４０に表示された測定データＩＤを表すバーコード１４１を読み取るためにも用いられる。
【００６４】
記憶部４２０には、この例では第２のリスト記憶部として、生体情報測定機器１００のメモリ１２０におけるのと同様に、病院が受付をした患者名と患者ＩＤとを対応付けて記録した患者一覧リストと、病院で働く医療従事者名と医療従事者ＩＤとを対応付けて記録した医療従事者一覧リストとが記憶されている。また、病院に設けられている生体情報測定機器１００の測定機器ＩＤを全て記載した測定機器ＩＤリストが記憶されている。
【００６５】
測定機器ＩＤ一覧リストは、例えば次のようなリストである。
（測定機器ＩＤ一覧リスト）
0005874468.tif 000005
【００６６】
図６は、生体情報測定機器１００の外観を示している。この生体情報測定機器１００は、本体１００Ｍの前部に、測定／停止ボタン１と、メニュー／確定ボタン２と、設定操作キー３と、トレイ４とを備えている。また、本体１００Ｍの左側部にＮＩＢＰ（非観血式；Non Invasive Blood Pressure）コネクタ５を備えている。本体１００Ｍの右側部に、電源コネクタ６と、ＵＳＢコネクタ７と、ＬＡＮコネクタ８とを備えている。さらに、本体１００Ｍの上部に測定機器表示部としての表示部１４０を備えている。また、本体１００Ｍの内部には、既述の測定部１５０を構成するＲＦＩＤセンサ１５３が内蔵されている。
【００６７】
測定／停止ボタン１は、電源スイッチであり、電源が切れているときに押されると、血圧測定が開始される。血圧測定中に押されると、血圧測定が停止する。
【００６８】
メニュー／確定ボタン２は、この機器１００の各種メニューを表示部１４０に表示させるとともに、測定データを確定するために用いられる。
【００６９】
設定操作キー３は、上キー３ａ、下キー３ｂ、左キー３ｃ、右キー３ｄを含む。これらのキー３ａ，３ｂ，３ｃ，３ｄは、表示部１４０の画面を切り替えたり、各種設定を入力するために用いられる。
【００７０】
これらのメニュー／確定ボタン２および設定操作キー３は、既述の操作部１３０を構成する。
【００７１】
トレイ４は、専用の電子体温計（この例では、オムロン電子体温計ＭＣ−１６００−ＨＰ）を収納するための収容部４ａと、専用のパルスオキシメータ（この例では、パルスオキシメータＨＰＯ−１６００−ＦＰ）を収納するための収容部４ｂとを備えている。
【００７２】
ＮＩＢＰコネクタ５は、血圧測定のためのカフ１５１につながるチューブ・エアホースを本体１００Ｍに接続するために用いられる。
【００７３】
電源コネクタ６は、ＡＣ（交流）アダプタを本体１００Ｍに接続するために用いられる。このＡＣアダプタは、本体１００Ｍに内蔵されたバッテリ（図示せず）を充電するために用いられる。
【００７４】
ＵＳＢコネクタ７は、外部機器を本体１００Ｍに接続するために用いられる。
【００７５】
ＬＡＮコネクタ８は、この例では、この生体情報測定機器１００をネットワーク９００に接続するために用いられる。
【００７６】
さて、病院で、看護師などの医療従事者が生体情報測定機器１００と病院端末４００とを持ち運びながら各患者を巡回して、生体情報測定機器１００により生体情報の測定を行うとともに、病院端末４００により、患者ＩＤ、看護師ＩＤおよび測定データＩＤを入力する業務形態がある。
【００７７】
生体情報の測定は、生体情報測定機器１００の制御部１１０によって、図１０のフローに従って次のようにして行われる。
【００７８】
まず、生体情報測定機器１００の動作状態で、生体情報測定機器１００の制御部１１０は、表示部１４０の表示画面を初期化する（ステップＳ１０１）。次に、表示部１４０を測定データＩＤ表示部として働かせて、制御部１１０は、図７に例示するように、ＩＤ作成部１６０によって作成された測定データＩＤを表すバーコード１４１を表示部１４０に表示する制御を行う（ステップＳ１０２）。
【００７９】
次に、制御部１１０は、医療従事者（この例では看護師）による操作部１３０に対する測定開始の入力に応じて、測定部１５０に測定データを取得させる（ステップＳ１０３）とともに、表示部１４０に取得された測定データを表示させる制御を行う。この段階で表示部１４０に表示される画面は、例えば図８Ａに示したものである。
【００８０】
看護師は、上記測定データが妥当であると判断したとき、操作部１３０が第１の操作部として働いて、操作部１３０（具体的には、メニュー／確定ボタン２（図６参照））に対する入力によって測定データを確定する（図１０のステップＳ１０４でＹＥＳ）。次に、制御部１１０が、上記作成された測定データＩＤと上記確定された測定データとを対応付けて通信データとし（ステップＳ１０５）、通信部１９０によってネットワーク９００を介して中継サーバ２００へ送信する制御を行う（ステップＳ１０６、矢印Ａ）。したがって、看護師が妥当であると確認した測定データのみを中継サーバ２００へ送信することができる。
【００８１】
なお、上記測定に続けて新たに生体情報を測定するとき（ステップＳ１０７でＹＥＳ）、制御部１１０は、表示部１４０の表示画面を初期化して（ステップＳ１０１）、図１０のフローに従って測定する。
【００８２】
また、生体情報測定機器１００の制御部１１０は、メモリ１２０を生体情報記憶部として働かせて、上記作成された測定データＩＤと上記確定された測定データとを記憶して蓄積する。
【００８３】
図１１は、病院端末４００の制御部４１０によるＩＤ読取処理のフローを示している。
【００８４】
まず、この例では看護師が、病院端末４００の動作状態で（具体的にはＩＤ読取のためのアプリケーションを動作させて）、測定データＩＤ、上記患者ＩＤおよび上記看護師ＩＤを読み取る（ステップＳ２０１でＹＥＳ）。具体的には、看護師が、バーコードリーダ４３１によって、生体情報測定機器１００の表示部１４０に表示されたバーコード１４１から測定データＩＤを読み取ったり、患者、医療従事者が携行するＩＤカード（図示せず）やリストバンド（バーコードが表示されている）からそれぞれ患者ＩＤ、医療従事者ＩＤを読み取る。
【００８５】
次に、上記制御部４１０は、この読み取られた情報（これを「読取情報」と呼ぶ。）に対応する区分（測定データＩＤ、患者ＩＤ、看護師ＩＤおよび該当なし）を問い合わせるために上記読取情報を中継サーバ２００へ送信して（ステップＳ２０２、矢印Ｂ）、中継サーバ２００から上記読取情報に対応する区分を受信する制御を行う（ステップＳ２０２、矢印Ｃ）。ここで、上記区分には、「測定データＩＤ」、「患者ＩＤ」、「看護師ＩＤ」および「該当なし」がある。例えば「測定データＩＤ」の区分を受信すると、上記読取情報から測定データＩＤが特定され、「患者ＩＤ」の区分を受信すると、上記読取情報から患者ＩＤが特定され、「看護師ＩＤ」の区分を受信すると、上記読取情報から看護師ＩＤが特定される。上記読取情報が「測定データＩＤ」、「患者ＩＤ」または「看護師ＩＤ」でなければ、「該当なし」となる。
【００８６】
次に、制御部４１０は、受信した上記区分が「測定データＩＤ」、「患者ＩＤ」または「看護師ＩＤ」のとき（ステップＳ２０３でＹＥＳ）、表示部４４０の測定データＩＤ欄に上記区分により特定される測定データＩＤを表示するか、患者ＩＤ欄に上記区分により特定される患者ＩＤを表示するか、看護師ＩＤ欄に上記区分により特定される看護師ＩＤを表示する制御を行う（ステップＳ２０４）。したがって、看護師は、測定データＩＤ、患者ＩＤおよび看護師ＩＤの読み取り順序を意識することなく、測定データＩＤ、患者ＩＤおよび看護師ＩＤを読み取ることができる。
【００８７】
次に、制御部４１０は、測定データＩＤ、患者ＩＤおよび看護師ＩＤの３種類のＩＤが全て読み取られたか否かを判定する（ステップＳ２０５）。上記３種類のＩＤが全て読み取られると（ステップＳ２０５でＹＥＳ）、制御部４１０は、測定データＩＤと患者ＩＤおよび看護師ＩＤとを対応付けて（ステップＳ２０６）、通信部４９０によってネットワーク９００を介して中継サーバ２００へ送信する制御を行う（ステップＳ２０７、矢印Ｄ）。
【００８８】
したがって、看護師は、バーコードリーダ４３１を用いて生体情報測定機器１００の表示部１４０に表示されたバーコード１４１を読み取ることで、上記測定データＩＤを病院端末４００に容易に入力できる。また、患者や医療従事者が携行するＩＤカードやリストバンドから患者ＩＤおよび看護師ＩＤを病院端末４００に容易に入力できる。
【００８９】
図１２は、中継サーバ２００の制御部２１０によるＩＤ区分問合せ処理のフローを示している。
【００９０】
まず、中継サーバ２００の動作状態で、中継サーバ２００の制御部２１０は、病院端末４００から上記読取情報を受信すると（矢印Ｂ、ステップＳ３０１でＹＥＳ）、受信した読取情報が「測定データＩＤ」、「患者ＩＤ」、「看護師ＩＤ」、「該当なし」のいずれの区分に該当するかを判断する。そして、その読取情報が該当する区分を、病院端末４００へ送信する制御を行う（ステップＳ３０２、矢印Ｃ）。
【００９１】
また、図１３は、中継サーバ２００の制御部２１０による通信データ作成処理のフローを示している。
【００９２】
まず、中継サーバ２００の動作状態で、中継サーバ２００の制御部２１０は、中継サーバ送信制御部として働いて、生体情報測定機器１００から測定データＩＤおよび測定データを受信する（ステップＳ４０１でＹＥＳ、矢印Ａ）。また、制御部２１０は、病院端末４００から測定データＩＤ、患者ＩＤおよび看護師ＩＤを受信する（ステップＳ４０２でＹＥＳ、矢印Ｄ）。次に、制御部１１０は、生体情報測定機器１００から受信した測定データＩＤと病院端末４００から受信した測定データＩＤとが一致したとき（ステップＳ４０３でＹＥＳ）、生体情報測定機器１００から受信した測定データと、病院端末４００から受信した患者ＩＤおよび看護師ＩＤとを対応付けて通信データを作成する制御を行う（ステップＳ４０４）。そして、制御部１１０は、上記通信データを通信部２９０によってネットワーク９００を介して病院情報サーバ３００へ送信する制御を行う（ステップＳ４０５、矢印Ｅ）。
【００９３】
図１４は、この生体情報測定システム９０における、生体情報測定機器１００、中継サーバ２００、病院情報サーバ３００および病院端末４００間の全体としての通信データの流れを示している。
【００９４】
まず、生体情報測定機器１００の制御部１１０は、生体情報の測定を行うとき、ＩＤ作成部１６０によって、取得する生体情報（測定データ）を特定するための測定データＩＤを作成するとともに、この測定データＩＤを表示部１４０に表示する。また、制御部１１０は、測定部１５０を生体情報取得部として働かせて、測定データを取得する。次に、制御部１１０は、作成した測定データＩＤおよび取得した測定データを中継サーバ２００へ送信する（通信データＡ）。一方、病院端末４００は、バーコードリーダ４３１によって、上記測定データＩＤ、患者ＩＤ、看護師ＩＤを読み取り、この読み取った読取情報に対応する区分を問い合わせるために、上記読取情報を中継サーバ２００へ送信する（通信データＢ）。中継サーバ２００は、この通信データＢを受信すると、上記読取情報に対応する区分を病院端末４００へ送信する（通信データＣ）。続いて、病院端末４００は、バーコードリーダ４３１によって測定データＩＤ、患者ＩＤ、看護師ＩＤの３種類のＩＤが全て読み取られると、この３種類のＩＤを中継サーバ２００へ送信する（通信データＤ）。
【００９５】
中継サーバ２００は、生体情報測定機器１００から通信データＡを受信するとともに、病院端末４００から通信データＤを受信する。次に、中継サーバ２００は、通信データＡに含まれる測定データＩＤと通信データＤに含まれる測定データＩＤとが一致したとき、受信した測定データと受信した患者ＩＤおよび看護師ＩＤとを対応付けて通信データＥを作成して、病院情報サーバ３００へ送信する。病院情報サーバ３００は、上の例では受信した通信データＥに含まれた測定データと患者ＩＤとを対応付けて電子カルテに記録する。
【００９６】
この生体情報測定システム９０によれば、生体情報測定機器１００にはＩＤ読取装置を設ける必要がなく、病院端末４００がバーコードリーダ４３１のようなＩＤ読取装置を備えれば足りる。したがって、病院内でバーコードリーダのようなＩＤ読取装置を１種類にすることができる。この結果、バーコードリーダの運用の仕方が簡単になり、また、コスト面での不利も解消する。
【００９７】
また、生体情報測定機器１００の制御部１１０は、メモリ１２０を生体情報記憶部として働かせて、上記作成された測定データＩＤと上記確定された測定データとを記憶して蓄積する。したがって、看護師は、生体情報測定機器１００と中継サーバ２００との間の通信エラーを気にすることなく、生体情報測定機器１００によって、生体情報を測定できる。そして、上記通信エラーが解消した後、メモリ１２０に蓄積された生体情報は、既述の動作によって、中継サーバ２００を介して病院情報サーバ３００へ送られる。
【００９８】
また、制御部１１０は、メモリ１２０に記憶した上記確定された測定データを、表示部１４０に表示させることができる。したがって、看護師は、メモリ１２０に記憶した上記確定された測定データの履歴を確認できる。
【００９９】
図１５，１６は、上述した生体情報を測定して病院情報サーバ３００へ送信する方法の変形例を示すフローである。
【０１００】
図１５は、中継サーバ２００の制御部２１０による通信データ作成処理のフローであって、図１３で示したフローの変形例を示している。
【０１０１】
この図１５のフローでは、図１３のステップＳ４０３とＳ４０４（図１５のステップＳ４１３とＳ４１６）との間にステップＳ４１４，Ｓ４１５を追加している。
【０１０２】
概略としては、中継サーバ２００の制御部２１０は、中継サーバ送信制御部として働いて、生体情報測定機器１００から受信した測定データＩＤと病院端末４００から受信した測定データＩＤとが一致したとき、上記通信データ（患者ＩＤ、看護師ＩＤおよび測定データ）を病院情報サーバ３００へ送信する前に、病院端末４００から受信した患者ＩＤおよび看護師ＩＤを生体情報測定機器１００へ送信する。次に、制御部２１０は、生体情報測定機器１００から後述する第１の確定情報を受信すると、生体情報測定機器１００から受信した測定データと、病院端末４００から受信した患者ＩＤおよび看護師ＩＤとを対応付けて通信データを作成し、この通信データを病院情報サーバ３００へ送信する。
【０１０３】
具体的には、中継サーバ２００の制御部２１０は、中継サーバ送信制御部として働いて、生体情報測定機器１００から受信した測定データＩＤと病院端末４００から受信した測定データＩＤとが一致したとき（ステップＳ４１３でＹＥＳ）、病院端末４００から受信した患者ＩＤおよび看護師ＩＤを生体情報測定機器１００へ送信する制御を行う（ステップＳ４１４、矢印Ｆ）。次に、制御部２１０は、生体情報測定機器１００から上記第１の確定情報を受信すると（ステップＳ４１５でＹＥＳ、矢印Ｇ）、生体情報測定機器１００から受信した測定データと、病院端末４００から受信した患者ＩＤおよび看護師ＩＤとを対応付けて通信データを作成する制御を行う（ステップＳ４１６）。そして、制御部２１０は、上記通信データを通信部２９０によってネットワーク９００を介して病院情報サーバ３００へ送信する制御を行う（ステップＳ４１７、矢印Ｅ）。
【０１０４】
図１６は、生体情報測定機器１００の制御部１１０による生体情報測定処理のフローであって、図１０で示したフローの変形例を示している。
【０１０５】
この図１６のフローでは、図１０のステップＳ１０４を削除し、図１０のステップＳ１０６とＳ１０７と（図１６のステップＳ５０５とＳ５１１と）の間にステップＳ５０６〜Ｓ５１０を追加している。
【０１０６】
概略としては、生体情報測定機器１００の制御部１１０は、第１の名前表示制御部として働いて、受信した患者ＩＤおよび看護師ＩＤに基づいて、患者一覧リストおよび医療従事者一覧リストを検索する。次に、表示部１４０を第１の名前表示部として働かせて、制御部１１０は、検索された患者名および看護師名を表示部１４０に表示する。表示部１４０に表示された生体情報（測定データ）が例えば看護師の操作部１３０に対する入力によって確定されたとき、制御部１１０は、第１の確定情報送信部として働いて、上記生体情報が確定されたことを表す第１の確定情報を中継サーバ２００へ送信する。
【０１０７】
具体的には、制御部１１０は、第１の名前表示制御部として働いて、中継サーバ２００から患者ＩＤおよび医療従事者ＩＤを受信する制御を行う（ステップＳ５０６、矢印Ｆ）。次に、制御部１１０は、上記受信した患者ＩＤに基づいて、メモリ１２０に記憶した上記患者一覧リストを参照して、患者ＩＤに対応する患者名を検索する制御を行う。また、制御部１１０は、上記受信した看護師ＩＤに基づいて、メモリ１２０に記憶した上記医療従事者一覧リストを参照して、上記看護師ＩＤに対応する看護師名を検索する制御を行う（ステップＳ５０７）。次に、表示部１４０が第１の名前表示部として働いて、制御部１１０は、検索された上記患者名および上記看護師名を表示部１４０に表示させる制御を行う（ステップＳ５０８）。この段階で表示部１４０に表示される画面は、例えば図８Ｂに示したものである。したがって、看護師は、上記患者名と上記看護師名とを確認してから生体情報（測定データ）が妥当であるか否かを判断することができる。
【０１０８】
看護師は、上記測定データが妥当であると判断したとき、操作部１３０が第１の操作部として働いて、操作部１３０（具体的には、メニュー／確定ボタン２）に対する入力によって測定データを確定する（ステップＳ５０９でＹＥＳ）。上記測定データが確定されたとき、制御部１１０は、第１の確定情報送信部として働いて、上記測定データが確定されたことを表す第１の確定情報を中継サーバ２００へ送信する制御を行う（ステップＳ５１０、矢印Ｇ）。
【０１０９】
図１７は、図１４と同様に、この生体情報測定システム９０における、生体情報測定機器１００、中継サーバ２００、病院情報サーバ３００および病院端末４００間の全体としての通信データの流れを示している。
【０１１０】
この図１７で示す通信データの流れには、図１４で示した通信データの流れに加えて、図１５のステップＳ４１５，Ｓ４１６および図１６のステップＳ５０６，Ｓ５１０における生体情報測定機器１００と中継サーバ２００との間での通信データのやりとりが加えられている。
【０１１１】
具体的には、中継サーバ２００は、通信データＡに含まれる測定データＩＤと通信データＤに含まれる測定データＩＤとが一致したとき、通信データＤに含まれる患者ＩＤおよび看護師ＩＤを生体情報測定機器１００へ送信する（通信データＦ）。生体情報測定機器１００は、看護師により測定データが確定されると、上記第１の確定情報を中継サーバ２００へ送信する（通信データＧ）。次に、中継サーバ２００は、通信データＧに含まれる第１の確定情報を受信すると、通信データＡに含まれる測定データと、通信データＤに含まれる患者ＩＤおよび看護師ＩＤとを対応付けて通信データを作成し、この通信データを病院情報サーバ３００へ送信する（通信データＥ）。
【０１１２】
図１８，１９は、上述した生体情報を測定して病院情報サーバ３００へ送信する方法の他の変形例を示すフローである。
【０１１３】
図１８は、中継サーバ２００の制御部２１０による通信データ作成処理のフローであって、図１３で示したフローのその他の変形例を示している。
【０１１４】
この図１８のフローでは、図１３のステップＳ４０３とＳ４０４（図１８のステップＳ４２３とＳ４２６）との間に、ステップＳ４２４、Ｓ４２５を追加している。
【０１１５】
概略としては、中継サーバ２００の制御部２１０は、中継サーバ送信制御部として働いて、生体情報測定機器１００から受信した測定データＩＤと病院端末４００から受信した測定データＩＤとが一致したとき、上記通信データ（患者ＩＤ、看護師ＩＤおよび測定データ）を病院情報サーバ３００へ送信する前に、生体情報測定機器１００から受信した測定データを病院端末４００へ送信する。次に、制御部２１０は、病院端末４００から後述する第２の確定情報を受信すると、生体情報測定機器１００から受信した測定データと、病院端末４００から受信した患者ＩＤおよび看護師ＩＤとを対応付けて通信データを作成し、この通信データを病院情報サーバ３００へ送信する。
【０１１６】
具体的には、中継サーバ２００の制御部２１０は、中継サーバ送信制御部として働いて、生体情報測定機器１００から受信した測定データＩＤと病院端末４００から受信した測定データＩＤとが一致したとき（ステップＳ４２３でＹＥＳ）、生体情報測定機器１００から受信した測定データを病院端末４００へ送信する制御を行う（ステップＳ４２４、矢印Ｈ）。次に、制御部２１０は、病院端末４００から上記第２の確定情報を受信すると（ステップＳ４２５でＹＥＳ、矢印Ｉ）、生体情報測定機器１００から受信した測定データと、病院端末４００から受信した患者ＩＤおよび看護師ＩＤとを対応付けて通信データを作成する制御を行う（ステップＳ４２６）。そして、制御部２１０は、上記通信データを通信部２９０によってネットワーク９００を介して病院情報サーバ３００へ送信する制御を行う（ステップＳ４２７、矢印Ｅ）。
【０１１７】
図１９は、病院端末４００の制御部４１０によるＩＤ取得処理のフローであって、図１１で示したフローの変形例を示している。
【０１１８】
この図１９のフローでは、図１１のステップＳ２０４とＳ２０５（図１９のステップＳ６０４とＳ６０７）との間にステップＳ６０５，Ｓ６０６が追加されている。さらに、図１１のステップＳ２０７（図１９のステップＳ６０９）の後にステップＳ６１０〜Ｓ６１２が追加されている。
【０１１９】
概略としては、病院端末４００の制御部４１０は、第２の名前表示制御部として働いて、上記患者一覧リストから読み取った患者ＩＤに対応する患者名を検索するとともに、上記医療従事者一覧リストから読み取った医療従事者ＩＤに対応する看護師名を検索する。次に、表示部４４０を第２の名前表示部として働かせて、制御部４１０は、検索された患者名および看護師名を表示部４４０に表示する。次に、制御部４１０は、中継サーバ２００から測定データを受信して、この受信した測定データを表示部４４０に表示する。表示部４４０に表示された測定データが例えば看護師の操作部４３０に対する入力によって確定されたとき、制御部４１０は、第２の確定情報送信部として働いて、上記測定データが確定されたことを表す第２の確定情報を中継サーバ２００へ送信する。
【０１２０】
具体的には、制御部４１０は、第２の名前表示制御部として働いて、バーコードリーダ４３１によって読み取られた患者ＩＤに基づいて、記憶部４２０に記憶した上記患者一覧リストを参照して、上記患者ＩＤに対応する患者名を検索する制御を行う。また、制御部４１０は、バーコードリーダ４３１によって読み取られた看護師ＩＤに基づいて、記憶部４２０に記憶した上記医療従事者一覧リストを参照して、上記看護師ＩＤに対応する看護師名を検索する制御を行う（ステップＳ６０５）。次に、表示部４４０を第２の名前表示部として働かせて、制御部４１０は、検索された上記患者名および上記看護師名を表示部４４０に表示させる制御を行う（ステップＳ６０６）。検索された「患者名」、「看護師名」は、図９に例示するように、表示部４４０に例えば「患者：オムロン太郎」、「操作者：オムロン花子」のようにそれぞれ表示される。
【０１２１】
次に、制御部４１０は、図１９に示すように、測定データＩＤ、患者ＩＤ、看護師ＩＤの３種類のＩＤが全て読み取られたか否かを判定する（ステップＳ６０７）。上記３種類のＩＤが全て読み取られたとき（ステップＳ６０７でＹＥＳ）、図９に示すように表示部４４０に「確認ＯＫ」ボタン４４１が表示される。看護師が「確認ＯＫ」ボタン４４１をクリックすると、制御部４１０は、測定データＩＤと患者ＩＤおよび看護師ＩＤとを対応付けて（図１９のステップＳ６０８）、通信部４９０によってネットワーク９００を介して中継サーバ２００へ送信する制御を行う（ステップＳ６０９、矢印Ｄ）。
【０１２２】
次に、制御部４１０は、中継サーバ２００から測定データを受信すると（ステップＳ６１０、矢印Ｈ）、表示部４４０に受信した測定データを表示させる制御を行う。したがって、例えば看護師は、表示部４４０に表示された測定データと、患者名および看護師名とを確認してから測定データが妥当であるか否かを判断することができる。
【０１２３】
看護師は、上記測定データが妥当であると判断したとき、操作部４３０が第２の操作部として働いて、操作部４３０に対する入力によって測定データを確定する（ステップＳ６１１でＹＥＳ）。上記測定データが確定されたとき、制御部４１０は、第２の確定情報送信部として働いて、上記測定データが確定されたことを表す第２の確定情報を中継サーバ２００へ送信する制御を行う（ステップＳ６１２、矢印Ｉ）。したがって、看護師が妥当であると確認した測定データを含む通信データだけを病院情報サーバ３００へ送信することができる。
【０１２４】
図２０は、図１４と同様に、この生体情報測定システム９０における、生体情報測定機器１００、中継サーバ２００、病院情報サーバ３００および病院端末４００間の全体としての通信データの流れを示している。
【０１２５】
この図２０で示す通信データの流れには、図１４で示した通信データの流れに加えて、図１８のステップＳ４２５，Ｓ４２６および図１９のステップＳ６１０，Ｓ６１２における中継サーバ２００と病院端末４００との間での通信データのやりとりが加えられている。
【０１２６】
具体的には、中継サーバ２００は、通信データＡに含まれる測定データＩＤと通信データＤに含まれる測定データＩＤとが一致したとき、通信データＡに含まれる測定データを病院端末４００へ送信する（通信データＨ）。病院端末４００は、看護師により測定データが確定されると、上記第２の確定情報を中継サーバ２００へ送信する（通信データＩ）。次に、中継サーバ２００は、通信データＩに含まれる第２の確定情報を受信すると、通信データＡに含まれる測定データと、通信データＤに含まれる患者ＩＤおよび看護師ＩＤとを対応付けて通信データを作成し、この通信データを病院情報サーバ３００へ送信する（通信データＥ）。
【０１２７】
以上の実施形態では、生体情報測定機器１００が測定する「生体情報」は、主に血圧、体温、ＳｐＯ２であるものとした。当然ながら、この発明はこれに限られるものではなく、この発明の生体情報測定機器は、その他に脈拍、呼吸数など、患者の生体に関する情報を広く測定するものであっても良い。
【０１２８】
また、病院端末４００は、市販のノート型パーソナルコンピュータからなるものとした。当然ながら、この発明はこれに限られるものではなく、この発明の病院端末は、ＰＤＡ（Personal Digital Assistant）等の他の情報端末であってもよい。
【０１２９】
また、測定データＩＤの表示は、表示部１４０に表示されたバーコード１４１とした。当然ながら、この発明はこれに限られるものではなく、この発明の測定データＩＤの表示は、表示部１４０に表示された、図２３Ａに示すような２次元コード１４２や、図２３Ｂに示すような文字列１４３（具体的には、「Ｓ１２３４５１１００１Ｅ」）等の他の表示であってもよい。
【０１３０】
また、上記実施形態では、ＩＤ読取装置は、ＣＣＤスキャナタイプのバーコードリーダ４３１とした。当然ながら、この発明はこれに限られるものではなく、この発明のＩＤ読取装置は、ＯＣＲ（光学式文字読取装置）等の他のＩＤ読取装置であってもよい。
【０１３１】
また、中継サーバ２００と病院情報サーバ３００とは、物理的に一体の筐体に収容されていてもよい。
【０１３２】
また、生体情報測定機器１００の本体１００Ｍに、中継サーバ２００を構成する各構成要素を一体に搭載して、生体情報測定機器１００が中継サーバ２００の機能を果たすように構成しても良い。
【０１３３】
例えば、生体情報測定機器１００を構成する制御部１１０、メモリ１２０、操作部１３０、表示部１４０、通信部１９０が、既述の機能に加えて、それぞれ中継サーバ２００の対応する制御部２１０、メモリ２２０、操作部２３０、表示部２４０、通信部２９０の機能を果たすものとする。
【０１３４】
このとき、図２１に示すように、まず、生体情報測定機器１００のＩＤ作成部１６０が測定データＩＤを作成する。次に、表示部１４０を測定データＩＤ表示部として働かせて、制御部１１０は、上記作成された測定データＩＤを表示部１４０に表示する。例えば看護師は、病院端末４００のバーコードリーダ４３１によって、表示部１４０に表示された上記測定データＩＤ、上記患者ＩＤおよび上記看護師ＩＤを読み取る。読み取られた上記測定データＩＤ、上記患者ＩＤおよび上記看護師ＩＤは、通信データＤとして生体情報測定機器１００へ送信される。なお、既述のように、病院端末４００と生体情報測定機器１００との間で、読取情報を含む通信データＢと、読取情報および区分を含む通信データＣとのやりとりを行う。
【０１３５】
次に、生体情報測定機器１００の制御部１１０は、ＩＤ受信制御部として働いて、受信した上記通信データＤに含まれる上記測定データＩＤと作成した上記測定データＩＤとが一致したとき、上記通信データＤに含まれる上記患者ＩＤおよび上記看護師ＩＤを取得する制御を行う。また、制御部１１０は、測定部１５０を生体情報取得部として働かせて、生体情報（測定データ）を取得する。この取得された測定データと取得された患者ＩＤと看護師ＩＤとが表示部１４０に表示される。したがって、看護師は、患者ＩＤと看護師ＩＤとを確認できるとともに、測定データを見て、その測定データが妥当であるか否かを判断することができる。看護師はその測定データが妥当であると判断したとき、操作部１３０に対する入力によって測定データを確定する。表示部１４０に表示された測定データが操作部１３０に対する入力によって確定されたとき、制御部１１０は、送信制御部として働いて、上記患者ＩＤおよび上記看護師ＩＤと、上記確定された生体情報とを対応付けて通信データＪとして、通信部１９０を介して病院情報サーバ３００へ送信する制御を行う。
【０１３６】
このように動作する場合、この生体情報測定機器１００にはＩＤ読取装置を設ける必要がなく、病院端末４００がバーコードリーダ４３１のようなＩＤ読取装置を備えれば足りる。したがって、病院内でバーコードリーダのようなＩＤ読取装置を１種類にすることができる。この結果、バーコードリーダの運用の仕方が簡単になり、また、コスト面での不利も解消する。さらに、生体情報測定機器１００と中継サーバ２００との間の通信を省略でき、システム全体としての動作を簡素化できる。
【０１３７】
また、病院端末４００の本体４００Ｍに、中継サーバ２００を構成する各構成要素を一体に搭載して、病院端末４００が中継サーバ２００の機能を果たすように構成しても良い。
【０１３８】
例えば、病院端末４００を構成する制御部４１０、記憶部４２０、操作部４３０、表示部４４０、通信部４９０が、既述の機能に加えて、それぞれ中継サーバ２００の対応する制御部２１０、メモリ２２０、操作部２３０、表示部２４０、通信部２９０の機能を果たすものとする。
【０１３９】
このとき、図２２に示すように、生体情報測定機器１００は、生体情報の測定を行って、生体情報（測定データ）を取得するとともに、取得された測定データを特定するための測定データＩＤを作成して、測定データおよび測定データＩＤを病院端末４００へ送信する（通信データＫ）。一方、病院端末４００は、バーコードリーダ４３１によって上記測定データＩＤ、患者ＩＤ、看護師ＩＤを読み取って、この読み取られた読取情報に対応する区分（測定データＩＤ、患者ＩＤ、看護師ＩＤおよび該当なし）を判断して、表示部４４０に表示する。病院端末４００は、受信した通信データＫに含まれる測定データＩＤとバーコードリーダ４３１によって読み取られた測定データＩＤとが一致したとき、バーコードリーダ４３１によって読み取られた患者ＩＤおよび看護師ＩＤと通信データＫに含まれる測定データとを対応付けて、通信データＬを作成する。そして、病院端末４００は、通信データＬを通信部４９０によってネットワーク９００を介して病院情報サーバ３００へ送信する。病院情報サーバ３００は、受信した通信データＫに含まれた測定データと患者ＩＤとを対応付けて電子カルテに記録する。
【０１４０】
このように動作する場合、この生体情報測定システムによれば、生体情報測定機器１００にはＩＤ読取装置を設ける必要がなく、病院端末４００が例えばバーコードリーダ４３１のようなＩＤ読取装置を備えれば足りる。したがって、病院内でバーコードリーダ４３１のようなＩＤ読取装置を１種類にすることができる。この結果、バーコードリーダの運用の仕方が簡単になり、また、コスト面での不利も解消する。さらに、病院端末４００と中継サーバ２００との間の通信を省略でき、システム全体としての動作を簡素化できる。
【符号の説明】
【０１４１】
１００  生体情報測定機器
１４１  バーコード
１４２  ２次元コード
１４３  文字列
２００  中継サーバ
３００  病院情報サーバ
４００  病院端末
４３１  バーコードリーダ
９００  ネットワーク
【図１】
0005874468.tif 000006
【図２】
0005874468.tif 000007
【図３】
0005874468.tif 000008
【図４】
0005874468.tif 000009
【図５】
0005874468.tif 000010
【図６】
0005874468.tif 000011
【図７】
0005874468.tif 000012
【図８Ａ】
0005874468.tif 000013
【図８Ｂ】
0005874468.tif 000014
【図９】
0005874468.tif 000015
【図１０】
0005874468.tif 000016
【図１１】
0005874468.tif 000017
【図１２】
0005874468.tif 000018
【図１３】
0005874468.tif 000019
【図１４】
0005874468.tif 000020
【図１５】
0005874468.tif 000021
【図１６】
0005874468.tif 000022
【図１７】
0005874468.tif 000023
【図１８】
0005874468.tif 000024
【図１９】
0005874468.tif 000025
【図２０】
0005874468.tif 000026
【図２１】
0005874468.tif 000027
【図２２】
0005874468.tif 000028
【図２３Ａ】
0005874468.tif 000029
【図２３Ｂ】
0005874468.tif 000030